(57)【要約】【課題】外部からの衝撃等による電池の移動を防止し、電源断を生じ難くした電池収納装置を提供する。【解決手段】筐体４には、電池５を収納可能なスペースを有する箱状の電池収納部３１が設けられており、電池５の正極に面して板状の正極端子３３が設けられ、電池５の負極に面してコイルばね状の負極端子３４が設けられている。電池収納部３１の開口には、スペーサ３５を有する蓋３２が装着される。電池５を装填した後、蓋３２を装着すると、スペーサ３５は電池５の負極の近傍に介在し、電池５が負極端子３４の方向へ移動するのを防止する。【選択図】図１
2007329005.tif 000002
【特許請求の範囲】
【請求項１】
電池を収納する電池収納部と、
前記電池収納部の一端に設けられた正極端子と、
前記電池収納部の他端に設けられたばね状の負極端子と、
前記電池が前記ばね状の負極端子の方向へ移動するのを防止する電池移動防止部材を備えたことを特徴とする電池収納装置。
【請求項２】
前記電池移動防止部材は、前記電池収納部の蓋の内面に取り付けられていることを特徴とする請求項１に記載の電池収納装置。
【請求項３】
前記電池移動防止部材は、その１面が前記電池の負極の表面に接触可能に配設されていることを特徴とする請求項２に記載の電池収納装置。
【請求項４】
前記電池移動防止部材は、前記ばね状の負極端子を貫通させるＵ字形またはＣ字形の切欠部を有することを特徴とする請求項１に記載の電池収納装置。
【請求項５】
前記電池収納部は、複数の電池を直列または並列に収納可能なスペースを有し、
前記正極端子は、前記電池の方向に付勢される弾性力を有することを特徴とする請求項１に記載の電池収納装置。
【請求項６】
前記電池収納部は、前記正極端子の正規の位置に設けられて前記正極端子をガイドする誤挿入防止片が設けられていることを特徴とする請求項１に記載の電池収納装置。
【請求項７】
前記誤挿入防止片は、前記電池の正極を貫通させる開口を有することを特徴とする請求項６に記載の電池収納装置。
【請求項８】
前記正極端子は、ばね状の構造を有することを特徴とする請求項１に記載の電池収納装置。
【発明の詳細な説明】
【技術分野】
【０００１】
本発明は、電池収納部に装填された乾電池、二次電池等の電池の負極との接続をばね状の負極端子により行う電池収納装置に関する。
【背景技術】
【０００２】
デジタルオーディオ機器、ＩＣレコーダ等の携帯型の電子機器においては、通常、乾電池や二次電池等の筒形の電池が内蔵電源に用いられている。
【０００３】
図７は、従来の電池収納装置の構成を示す。電池収納装置１は、電子機器等の筐体２に設けられており、電池１１Ａ，１１Ｂを直列に収納する電池収納部１２と、電池収納部１２に被せられる蓋１３とを備えて構成されている。
【０００４】
電池収納部１２は、樹脂成型等により箱形に形成されており、内側の一方には板ばね状の正極端子１４が配置され、他方にはコイルばね状の負極端子１５が配置されている。正極端子１４及び負極端子１５のそれぞれには、図示しないリード線が接続されている。
【０００５】
蓋１３は、板状を成し、内面には電池１１Ａ，１１Ｂの移動を防止するためのスポンジ１６が貼着されている。また、蓋１３は、電池収納部１２に固定できるように、一端に係合子１３ａが設けられるほか、他端に突起１３ｂが設けられ、更に、筐体２への着脱が容易に行えるように、一端に指掛部１３ｃが設けられている。一方、電池収納部１２には係合子１３ａに嵌合する凹部１２ａが設けられ、更に、筐体２には突起１３ｂに嵌合する凹部２ａが設けられている。
【０００６】
電池装填、電池交換等を行う場合、指掛部１３ｃに指を掛けて蓋１３を持ち上げ、電池収納部１２から蓋１３を取り外す。次に、電池１１Ａの負極（−）を負極端子１５に押し当てながら、電池収納部１２内に電池１１Ａを装填し、更に、電池１１Ｂの負極を電池１１Ａの正極（＋）に押し当てながら電池１１Ｂを電池収納部１２内に装填する。電池１１Ａ，１１Ｂを装填後、蓋１３を電池収納部１２に装着する。電池１１Ａ，１１Ｂは、蓋１３によってスポンジ１６で押圧されているため、筐体２への衝撃等に対して、電池１１Ａ，１１Ｂのガタつきや移動を防止することができる。
【０００７】
しかし、図７に示した電池収納装置は、蓋１３によるスポンジ１６の押圧が電池の半径方向からであるため、電子機器の落下等により、電池１１Ａ，１１Ｂの長手方向で且つ負極端子１５方向に大きな衝撃が加わった場合、スポンジ１６による摩擦力に抗して移動し、正極端子１４と電池１１Ｂの正極とが瞬間的に非接触になり、瞬間的に電源断を生じることがある。電源断が瞬間的であったとしても、電子機器がデータの書き込み／読み出しを行っている場合であれば、データの書き込み／読み出しが正常に行われず、データの欠損や消去を生じる可能性がある。
【０００８】
この問題を解決するものとして、例えば、負極端子だけでなく正極端子もコイルばね状にし、負極端子を圧縮する方向に衝撃が加わっても電池の正電極と電池収容筐体の正極端子が接触を維持できるようにした電池収容装置がある（例えば、特許文献１参照）。
【特許文献１】特開２００４−１９９９５７号公報
【発明の開示】
【発明が解決しようとする課題】
【０００９】
しかし、特許文献１の構成によると、負極端子及び正極端子が共にコイルばね状であるため、落下等による強い衝撃力が電池に加わった場合、コイルばねの圧縮量／伸長量が大きくなる。このため、電池が長手方向及び半径方向の何れにも移動しやすくなり、電池移動に伴って正極端子及び負極端子と電池の電極との間の接触点が摺動し、特許文献１の構成においても、瞬間的に接触断を生じる可能性がある。
【００１０】
従って、本発明の目的は、外部からの衝撃等による電池の移動を防止し、電源断を生じ難くした電池収納装置を提供することにある。
【課題を解決するための手段】
【００１１】
本発明は、上記目的を達成するため、電池を収納する電池収納部と、前記電池収納部の一端に設けられた正極端子と、前記電池収納部の他端に設けられたばね状の負極端子と、前記電池が前記ばね状の負極端子の方向へ移動するのを防止する電池移動防止部材を備えたことを特徴とする電池収納装置を提供する。
【００１２】
このような構成によれば、電池を電池収納部に装填後、電池収納部に蓋を装着することにより電池移動防止部材が電池の負極の近傍に介在するので、落下等の衝撃が電池の長手方向に加わっても、電池が移動するのを阻止することができる。
【発明の効果】
【００１３】
本発明の電池収納装置によれば、衝撃等が加わった際の電池移動を防止できるため、電源断を生じ難くすることができる。
【発明を実施するための最良の形態】
【００１４】
（電池収納装置の構成）
図１は、本発明の実施の形態に係る電池収納装置を示し、（ａ）は平面図、（ｂ）は（ａ）のＡ−Ａ線の断面図である。
【００１５】
電池収納装置３は、電子機器等の筐体４の底部等に設けられており、電池５を収納する箱状の電池収納部３１と、内面に電池移動防止部材としてのスペーサ３５を有して電池収納部３１に被せられる蓋３２とを備えて構成されている。なお、電池収納部３１と蓋３２の間には、実際には、図７に示したような蓋３２を電池収納部３１に係着するための係合子や凹部による嵌合構造が存在するが、図１では図示を省略している。
【００１６】
電池収納部３１は、樹脂成型等により箱形に形成されており、上縁には蓋３２が載置される凹部３１ａが設けられている。電池収納部３１内の一端には、正極端子３３が配置され、他端には負極端子３４が配置されている。更に、電池収納部３１には、前記正極端子３３の正規の位置に設けられて正極端子３３をガイドし、電池５の誤挿入を防止するための誤挿入防止片３６が設けられている。誤挿入防止片３６は、電池５の正極が貫通可能なＵ字状の開口を有している。
【００１７】
負極端子３４は、コイルばね状を成し、先端に向かって直径が小さくなる形状を有している。また、正極端子３３は、板ばね状の構成、電池５の正極に接触する部分に突起を有する構成、ばね等により接続部が電池５の正極方向に突出する構成等が可能であるが、電池５が負極端子３４側に移動したとしても、或る間隙までは電池５の正極との接触を維持できる構成であることが望ましい。
【００１８】
正極端子３３及び負極端子３４は、電池収納部３１の樹脂を熱溶融させるなどして電池収納部３１に固定されている。また、正極端子３３及び負極端子３４のそれぞれには、図示しないリード線の一端が接続されており、各リード線の他端は電子機器の電源スイッチ及び電源回路に接続されている。
【００１９】
（蓋の構成）
図２は、蓋の外観を示す。蓋３２は、板状の本体３２ａを主体に構成され、上記スペーサ３５が本体３２ａの内面（裏面）に立設されている。本体３２ａとスペーサ３５は、例えば、樹脂成型により一体に作られている。
【００２０】
スペーサ３５は、Ｕ字形またはＣ字形の切欠部３５ａを有し、負極端子３４に対向する位置に設けられ、かつ蓋３２を筐体４に装着したときに、電池収納部３１の内面及び負極端子３４に接触しない形状及び大きさに形成されている。
【００２１】
図１の（ｂ）に示すように、スペーサ３５の側面と電池５の負極との間にはギャップｇを生じないことが望ましいが、蓋３２等の製造ばらつき等によりギャップｇが大きくなると、筐体２を落下させるなどしたとき、電池５の正極と正極端子３３との間が瞬間的に接続断になる可能性がある。
【００２２】
そこで、スペーサ３５は、蓋３２を電池収納部３１に装着したとき、電池５側の面が電池収納部３１に装填されている電池５の負極の表面に当接する位置に設けられていることが望ましい。
【００２３】
また、スペーサ３５は、電池５の負極面が電池５側の面に対してオーバーハングした場合でも、また、負極端子３４の軸心が電池５の軸心から傾いていても蓋３２を電池収納部３１に容易に装着できるように、電池の長さ方向に変形可能な厚み及び材料にし、かつ、切欠部３５ａの先端部３５ｂにテーパを設けることが望ましい。更に、スペーサ３５は、通常の高さから床等に落下させた場合でも、破損や塑性変形をしない構成であることが望ましい。
【００２４】
なお、スペーサ３５は、Ｕ字形、Ｃ字形等に限定されるものではなく、Ｌ字形、２つのＩ字形を並べた構成等であってもよい。また、スペーサ３５は、樹脂以外の材料からなる構成、例えば、弾性を有する金属板からなる構成であってもよい。
【００２５】
（電池の装填及び蓋の装着方法）
次に、図１及び図２を参照して電池の装填及び蓋の装着方法について説明する。まず、図１の（ａ）に示すように、電池５の各極性を電池収納部３１の正極端子３３及び負極端子３４に合致させた状態で、電池５の負極（−）を負極端子３４に接触させ、ついで、負極端子３４を圧縮しながら電池収納部３１内に電池５を装填する。これにより、電池５は、負極端子３４の弾性力によって正極端子３３側に押され、電池５の正極（＋）は正極端子３３に加圧接触する。
【００２６】
なお、電池５を逆極性にして電池収納部３１に装填した場合、電池５の負極は誤挿入防止片３６で止められるため、正極端子３３には電池５の負極が接触しないので、電源供給はなされない。従って、電子機器電子機器内の回路は、逆電圧の印加から保護される。
【００２７】
次に、蓋３２を電池収納部３１に装着する。この場合、スペーサ３５を負極端子３４に対向させ、スペーサ３５の切欠部３２ｂに負極端子３４を嵌入させながら蓋３２を凹部３１ａに被せると、図１の（ｂ）のように、蓋３２が筐体４に装着される。このとき、スペーサ３５は、電池５の負極の直近に位置し、切欠部３５ａ内を負極端子３４が貫通した状態になる。
【００２８】
（実施の形態の効果）
上記実施の形態によれば、下記の効果を奏する。
（イ）蓋３２を閉めた状態では、スペーサ３５が電池５の負極に隣接し、筐体４に衝撃が加わっても、電池５の移動はスペーサ３５によって阻止されるため、電源瞬断の発生を防止することができる。従って、パワーＯＮリセットがかかるのを防止することができる。
（ロ）電池５の移動を阻止する機能を負極端子３４に持たせる必要がないので、負極端子３４のばね材質を硬くする必要が無く、電池５を挿入し易くすることができる。これにより、電池収納部３１及び筐体４への機械的なストレスを少なくすることができる。
（ハ）正極端子３３は、従来より一般に用いられている板ばね状等の構成で済むため、電池収納装置３が大型化するのを防止することができる。
（ニ）スペーサ３５は、蓋３２の本体３２ａに樹脂成型により一体化できるため、別部品を電池収納部３１に容易する必要がなく、コストアップを防止することができる。
（ホ）電池収納部３１に誤挿入防止片３６が設けられているため、逆極性により電池５から電源供給が行われるのを防止することができる。
【実施例】
【００２９】
次に、本発明の実施例を説明する。
［第１の実施例］
図３は、本発明の第１の実施例を示す。本実施例は、上記実施の形態において、２本の電池を並列に装填可能な構成にしたものである。なお、本実施例では、誤挿入防止片は設けていない。この電池収納装置６は、電子機器等の筐体４の一部に設けられており、上記実施の形態の電池収納部３１の約２倍の容積を有する電池収納部６１と、電池収納部６１の凹部６１に被せられる蓋６２とを備えている。なお、電池収納部６１と蓋６２の間には、蓋６２を電池収納部６１に係着するための嵌合構造が存在するが、図４では、図示を省略している。
【００３０】
電池収納部６１は、電池７Ａの収納スペースの両端にコイルばね状の負極端子６３と板ばね状の正極端子６４とが配置され、電池７Ｂの収納スペースの両端に負極端子６３に隣接させて板ばね状の正極端子６５が配置され、正極端子６４に隣接させてコイルばね状の負極端子６６が配置されている。なお、図示していないが、負極端子６３と正極端子６５、または正極端子６４と負極端子６６とは、リード線または金属電極板（いずれも図示せず）によって接続され、電池７Ａ，７Ｂが直列接続されるように構成されている。
【００３１】
図４は、図３の電池収納装置の蓋を示す。蓋６２は、板状の本体６２ａを主体に構成され、電池側の面（裏面）には電池７Ａ，７Ｂの移動を防止する電池移動防止部材としてのＵ字形のスペーサ６７Ａ，６７Ｂが対角位置に立設されている。蓋６２は、本体６２ａ及びスペーサ６７Ａ，６７Ｂを樹脂成型により一体化して作られている。スペーサ６７Ａ，６７Ｂのそれぞれは、Ｕ字形またはＣ字形の切欠部６７ａを有し、負極端子６３，６６に対向する位置に設けられている。また、スペーサ６７Ａ，６７Ｂは、負極端子６３，６６が電池７Ａ，７Ｂの軸心から傾いていても、また、電池５の負極面が電池５側の面に対してオーバーハングした場合でも、蓋６２を電池収納部６１に容易に装着できるように、切欠部６７ａの先端部６７ｂにはテーパが設けられている。
【００３２】
次に、図３及び図４を参照して第１の実施例にける電池の装填及び蓋の装着方法について説明する。まず、電池７Ａの極性を電池収納部６１の負極端子６３及び正極端子６４に合致させた状態で、電池７Ａの負極を負極端子６３に接触させ、負極端子６３を圧縮するようにして電池収納部６１内に電池７Ａを装填する。同様に、電池７Ａとは極性を逆向きにして電池７Ｂを正極端子６５と負極端子６６の間に装填する。
【００３３】
次に、蓋６２を電池収納部６１の凹部６１ａに装着する。まず、スペーサ６７Ａ，６７Ｂを負極端子６３，６６に対向させた状態で、スペーサ６７Ａ，６７Ｂの切欠部６７ａに負極端子６３，６６を嵌入させながら、蓋６２を切欠部６７ａ上に降下させると、蓋６２が電池収納部６１に装着される。このとき、スペーサ６７Ａ，６７Ｂは、電池７Ａ，７Ｂの負極に当接し、かつ、切欠部６７ａ内を負極端子６３，６６が貫通した状態にある。
【００３４】
［第２の実施例］
次に、本発明の第２の実施例について説明する。
図５は、本発明の第２の実施例を示す。本実施例は、図１に示した実施の形態において、電池収納部３１に２つの電池７Ａ，７Ｂを装填できる構成の電池収納装置８にしたものである。
【００３５】
第２の実施例における電池収納部８１は、図１の実施の形態における電池収納部３１の約２倍の長さを有し、同様に、本実施例における蓋８３は、図１の実施の形態の蓋３２の約２倍の面積を有している。また、正極端子８２は、電池長さ方向に弾性力が生じるように、Ｕ字形に加工された板ばね状の電極を用いている。なお、正極端子８２は、図１や図３に示した形状であってもよい。
【００３６】
第２の実施例においては、まず、電池７Ａを用意し、電池７Ａの負極（−）を電池収納部８１の負極端子３４に当てながら、電池収納部８１内に電池７Ａを装填する。次に、電池７Ｂを用意し、電池７Ｂの負極を電池７Ａの正極（＋）に接触させ、電池７Ｂを負極端子３４方向へ押しながら電池収納部８１内に装填する。以上により、電池７Ａ，７Ｂは、直列接続された状態で電池収納部８１内に装填される。最後に、蓋８３が電池収納部８１に装着される。
【００３７】
［第３の実施例］
図６は、本発明の第３の実施例を示す。本実施例の電池収納装置９は、図５に示した第２の実施例において、板ばね状の正極端子８２をコイルばね状の正極端子８４にしたものであり、その他の構成は、第２の実施例と同様である。
【００３８】
正極端子８４をコイルばね状にしたことにより、スペーサ３５と電池７Ａとの間のギャップｇが大きい場合でも、電池７Ａ，７Ｂが負極端子３４方向への移動に追従して正極端子８４が自身の弾性力によって伸長するため、電池７Ｂの（＋）電極と正極端子８４の接触状態は保持され、電源瞬断は生じ難くなる。この場合、電池７Ａ，７Ｂの移動は、スペーサ３５に電池７Ａの（−）電極が当接するまでの僅かな距離（ギャップｇ）であるので、特許文献１のような問題は生じない。
【００３９】
以上説明したように、本発明の各実施例によれば、電池収納部６１に蓋６２，８３を被せた後は、電池７Ａ，７Ｂまたは電池７Ａのそれぞれの負極の近傍にスペーサ６７Ａ，６７Ｂまたはスペーサ３５が配置されるため、電子機器を落下させるなどして電池７Ａ，７Ｂに衝撃が加わっても、電池７Ａ，７Ｂの大きな移動を阻止できるため、電源瞬断の発生を防止することができる。
【００４０】
上記実施の形態及び上記第１の実施例においては、電池が１個と２個の場合について説明したが、３個以上であっても、電池収納部の負極端子がコイルばね状であれば、電池数に応じてスペーサを増やすのみで対応可能である。また、第２，第３の実施例の場合、直列接続する電池数にかかわらず、１個のスペーサ３５により、電池収納装置８，９を構成することができる。また、複数の電池の配置は、図３のような並列配置と図５、図６のような直列配置とを組み合わせることもできる。
【００４１】
また、上記実施の形態及び上記各実施例においては、蓋３２，６２，８３は、筐体４から完全に分離する構成を示したが、蝶番により開閉する構成であってもよい。また、蓋３２，６２，８３の内面に、図７に示したスポンジ１６が設けられていてもよい。
【００４２】
また、上記実施の形態及び上記各実施例においては、負極端子がコイルばね状であるとしたが、伸縮の度合いが大きい構造の負極端子に対しても、本発明を適用可能である。
【００４３】
［他の実施の形態］
なお、本発明は、上記実施の形態に限定されず、本発明の技術思想を逸脱あるいは変更しない範囲内で種々な変形が可能である。
【図面の簡単な説明】
【００４４】
【図１】本発明の実施の形態に係る電池収納装置を示し、（ａ）は平面図、（ｂ）は（ａ）のＡ−Ａ線の断面図である。
【図２】本発明の実施の形態に係る電池収納装置の蓋を示す斜視図である。
【図３】本発明の第１の実施例を示す平面図である。
【図４】第１の実施例の蓋を示す斜視図である。
【図５】本発明の第２の実施例を示す断面図である。
【図６】本発明の第３の実施例を示す断面図である。
【図７】従来の電池収納装置の構成を示す断面図である。
【符号の説明】
【００４５】
１  電池収納装置
２  筐体
２ａ  凹部
３  電池収納装置
４  筐体
５  電池
６  電池収納装置
７Ａ，７Ｂ  電池
８，９  電池収納装置
１１Ａ，１１Ｂ  電池
１２  電池収納部
１３  蓋
１３ａ  係合子
１３ｃ  指掛部
１３ｂ  突起
１４  正極端子
１５  負極端子
１６  スポンジ
３１  電池収納部
３１ａ  凹部
３２  蓋
３２ａ  本体
３２ｂ  先端部
３３  正極端子
３４  負極端子
３５  スペーサ
３５ａ  切欠部
３５ｂ  先端部
３６  誤挿入防止片
６１   電池収納部
６１ａ  凹部
６２  蓋
６２ａ  本体
６２ｂ  先端部
６３  負極端子
６４  正極端子
６５  正極端子
６６  負極端子
６７Ａ，６７Ｂ  スペーサ
６７ａ  切欠部
８１  電池収納部
８２，８４  正極端子
８３  蓋
【図１】
2007329005.tif 000003
【図２】
2007329005.tif 000004
【図３】
2007329005.tif 000005
【図４】
2007329005.tif 000006
【図５】
2007329005.tif 000007
【図６】
2007329005.tif 000008
【図７】
2007329005.tif 000009